(57)【特許請求の範囲】
【請求項１】
それぞれが無線サービスの無線通信を行う１以上の無線基地局に情報を提供して、該情報を該１以上の無線基地局から無線送信させる情報提供サーバにおいて、
１以上の前記無線基地局により構成されるサービスを提供する空間的な広がりを識別するサービス空間情報と、該サービス空間に対応した無線サービス名または該無線サービスを利用するために必要なアプリケーションソフト情報を含むサービス情報と、前記無線サービスを提供する無線基地局情報と、を有し、該サービス空間情報と該サービス情報と該無線基地局の識別子とを互いに対応付けて記憶する記憶手段と、
前記記憶手段の記憶内容を参照して、前記１以上の無線基地局毎に、当該無線基地局の識別子に対応付けられている、前記サービス空間情報と前記サービス情報とのうち少なくとも一方を含むサービス環境情報を含む通信フレームを作成する通信制御手段と、
前記通信制御手段が作成した前記１以上の無線基地局へのそれぞれの通信フレームを、該１以上の無線基地局に送信して、該１以上の無線基地局からブロードキャストにより該通信フレーム中の前記サービス環境情報を無線送信させる通信手段と、
を備えていることを特徴とする情報提供サーバ。
【請求項２】
請求項１に記載の情報提供サーバにおいて、
前記記憶手段には、前記１以上の無線基地局毎に、該１以上の無線基地局毎の前記サービス環境情報を該当無線基地局に繰り返して送るタイミングが当該無線基地局の識別子と対応付けて記憶され、
前記通信制御手段は、前記記憶手段の記憶内容を参照して、前記１以上の無線基地局毎の前記サービス環境情報をブロードキャストにより送るタイミングに合わせて、該サービス環境情報を含む通信フレームを作成し、該通信フレームを前記通信手段から該１以上の無線基地局に送信させる、
ことを特徴とする情報提供サーバ。
【請求項３】
請求項１及び２のいずれか一項に記載の情報提供サーバにおいて、
前記通信制御手段は、前記サービス環境情報を含む前記通信フレームを作成する際に、該サービス環境情報を前記１以上の無線基地局からブロードキャストで送信させる旨の指示を該通信フレーム中に含める、
ことを特徴とする情報提供サーバ。
【請求項４】
請求項１から３のいずれか一項に記載の情報提供サーバにおいて、
前記サービス環境情報には、前記サービス空間情報を含んでいる、
ことを特徴とする情報提供サーバ。
【請求項５】
請求項４に記載の情報提供サーバにおいて、
前記サービス空間情報には、該サービス空間情報に含まれる前記空間を識別する情報が示す文字又は記号の種別を示す文字種別情報を含んでいる、
ことを特徴とする情報提供サーバ。
【請求項６】
請求項４及び５のいずれか一項に記載の情報提供サーバにおいて、
前記サービス空間情報は、前記無線サービスを提供する空間を一意に識別できるように階層化されている、
ことを特徴とする情報提供サーバ。
【請求項７】
請求項６に記載の情報提供サーバにおいて、
前記サービス空間情報は、前記無線サービスを提供する空間が固定空間である場合には、該空間を示す地域名を階層表示したものであり、該空間が移動空間である場合には、該移動空間の所属地域名を階層表示したものに加え、該移動空間の識別名を階層表示したものである、
ことを特徴とする情報提供サーバ。
【請求項８】
請求項４から７のいずれか一項に記載の情報提供サーバにおいて、
前記サービス空間情報は、該サービス空間情報中の前記空間を識別する情報を略号化した空間識別子を含んでいる、
ことを特徴とする情報提供サーバ。
【請求項９】
請求項８に記載の情報提供サーバにおいて、
前記記憶手段に記憶されている前記サービス環境情報には、前記無線基地局と無線通信する無線通信端末が、前記サービス空間情報中の前記空間を識別する情報が示す前記無線サービスを利用するために必要な利用必要情報を含んでいる、
ことを特徴とする情報提供サーバ。
【請求項１０】
請求項９に記載の情報提供サーバにおいて、
前記利用必要情報には、前記無線サービスを利用するために必要なアプリケーションソフト情報、該アプリケーションソフト情報が示すソフトの入手方法、該無線サービスの提供元の通信アドレスのうち、少なくとも一つを含んでいる、
ことを特徴とする情報提供サーバ。
【請求項１１】
請求項１０に記載の情報提供サーバにおいて、
前記利用必要情報には、前記ソフトの入手方法を含み、該入手方法には、該ソフトの提供元の通信アドレスを含んでいる、
ことを特徴とする情報提供サーバ。
【請求項１２】
請求項１から１１のいずれか一項に記載の情報提供サーバと、
前記無線サービスを提供するサービス提供サーバと、
を備えていることを特徴とするサービス提供システム。
【請求項１３】
それぞれが無線サービスの無線通信を行う１以上の無線基地局に情報を提供して、該情報を該１以上の無線基地局から無線送信させる情報提供方法において、
１以上の前記無線基地局から構成されるサービスを提供する空間的な広がりを識別するサービス空間情報と、該サービス空間に対応した無線サービス名または該無線サービスを利用するために必要なアプリケーションソフト情報を含むサービス情報と、前記無線サービスを提供する無線基地局情報と、を有し、該サービス空間情報と該サービス情報と該無線基地局の識別子とを互いに対応付けて、記憶手段に予め記憶しておき、
前記記憶手段の記憶内容を参照して、前記１以上の無線基地局毎に、当該無線基地局の識別子に対応付けられている、前記サービス空間情報と前記サービス情報とのうち少なくとも一方を含むサービス環境情報を含む通信フレームを作成し、該１以上の無線基地局毎の通信フレームを該当無線基地局へ送信して、該１以上の無線基地局からブロードキャストにより該通信フレーム中の前記サービス環境情報を無線送信させる、
ことを特徴とする情報提供方法。
【請求項１４】
無線基地局と無線通信してサービスの提供を受ける無線通信端末の動作プログラムにおいて、
前記無線通信端末の無線通信手段が前記無線基地局からのブロードキャストによる無線信号を受信すると、該無線信号を解析して、該無線信号が示す情報中に、無線サービスを識別する、サービスを提供する空間的な広がりを識別するサービス空間情報と、該サービス空間に対応した無線サービス名または該無線サービスを利用するために必要なアプリケーションソフト情報を含むサービス情報と、を有するサービス環境情報が、含まれているか否かを判断する解析ステップと、
前記無線信号が示す情報中に前記サービス環境情報が含まれており、且つ予め定められた表示条件を満たしたときに、前記無線通信端末の表示手段に、該サービス環境情報中の前記サービス情報及び前記サービス空間情報が示す情報を表示させる環境情報表示ステップと、
前記無線通信端末の記憶手段に、前記アプリケーションソフト情報が示すアプリケーションソフトが記憶されているか否かを判断する判断ステップと、
前記判断ステップで、前記アプリケーションソフト情報が示すアプリケーションソフトが前記記憶手段に記憶されていると判断され、且つ予め定められた起動条件を満たしたときに、該アプリケーションソフトを起動させる起動ステップと、
を前記無線通信端末のプロセッサに実行させることを特徴とする無線通信端末の動作プログラム。
【請求項１５】
無線基地局と無線通信してサービスの提供を受ける無線通信端末の動作プログラムにおいて、
前記無線通信端末の無線通信手段が前記無線基地局からのブロードキャストによる無線信号を受信すると、該無線信号を解析して、該無線信号が示す情報中に、無線サービスを識別する、サービス識別情報及び該無線サービスを利用するために必要なアプリケーションソフト情報を含むサービス情報を、有するサービス環境情報が、含まれているか否かを判断する解析ステップと、
前記無線通信端末の記憶手段に、前記アプリケーションソフト情報が示すアプリケーションソフトが記憶されているか否かを判断する判断ステップと、
前記判断ステップで、前記アプリケーションソフト情報が示すアプリケーションソフトが前記記憶手段に記憶されていると判断され、且つ予め定められた起動条件を満たしたときに、該アプリケーションソフトを起動させる起動ステップと、
を前記無線通信端末のプロセッサに実行させ、
前記予め定められた起動条件は、前記アプリケーションソフト情報が示すアプリケーションソフトの起動許可を受け付けることである、
ことを特徴とする無線通信端末の動作プログラム。
【請求項１６】
請求項１４、１５のいずれか一項に記載の無線通信端末の動作プログラムにおいて、
前記サービス環境情報には、前記無線サービスを利用するために必要な利用必要情報として、前記アプリケーションソフト情報が示すアプリケーションソフトの入手方法とを含み、
前記判断ステップで、前記アプリケーションソフト情報が示すアプリケーションソフトが前記記憶手段に記憶されていないと判断されると、前記表示手段に前記アプリケーションソフトの入手方法を表示させる入手方法表示ステップ、
を前記プロセッサに実行させることを特徴とする無線通信端末の動作プログラム。
【請求項１７】
請求項１４から１６のいずれか一項に記載の無線通信端末の動作プログラムにおいて、
前記記憶手段又は前記利用必要情報中に該無線サービスの提供元の通信アドレスがあるか否かを判断するアドレス有無判断ステップと、
前記アドレス有無判断ステップで前記無線サービスの提供元の通信アドレスがあると判断されると、該通信アドレスを宛先とし、該無線サービスの提供要求を行う通信フレームを作成し、該通信フレームを、前記無線通信端末の通信手段により送出させるサービス提供要求ステップと、
を前記プロセッサに実行させることを特徴とする無線通信端末の動作プログラム。
【請求項１８】
無線基地局と無線通信してサービスの提供を受ける無線通信端末において、
前記無線基地局と無線通信する無線通信手段と、表示手段と、データを記憶する記憶手段と、制御手段と、を備え、
前記制御手段は、
前記無線通信手段が前記無線基地局からのブロードキャストによる無線信号を受信すると、該無線信号を解析して、該無線信号が示す情報中に、無線サービスを識別する、サービスを提供する空間的な広がりを識別するサービス空間情報と、該サービス空間に対応した無線サービス名又は該無線サービスを利用するために必要なアプリケーションソフト情報を含むサービス情報とを含むサービス環境情報を含んでいるかを判断する解析ステップと、
前記無線信号が示す情報中に前記サービス環境情報を含んでおり、且つ予め定められた表示条件を満たしたときに、前記表示手段に、該サービス環境情報中の前記無線サービス名の情報及び前記サービス空間情報が示す情報を表示させる環境情報表示ステップと、
前記記憶手段に、前記アプリケーションソフト情報が示すアプリケーションソフトが記憶されているか否かを判断する判断ステップと、
前記判断ステップで、前記アプリケーションソフト情報が示すアプリケーションソフトが前記記憶手段に記憶されていると判断され、且つ予め定められた起動条件を満たしたときに、該アプリケーションソフトを起動させる起動ステップと、
を実行する、
ことを特徴とする無線通信端末。
【発明の詳細な説明】
【技術分野】
【０００１】
本発明は、無線サービスの利便性を高める技術に関する。
【背景技術】
【０００２】
近年、無線ＬＡＮなどによる無線サービスや携帯通信端末の普及に伴い、特定エリアに根ざした様々なサービスの提供が考えられている。
【０００３】
従来技術では、無線ＬＡＮで特定の無線サービスの提供を受ける場合、この特定無線サービスを提供する無線基地局のＳＳＩＤ（Service Set Identifier）を予め把握しておくか、又は、以下の特許文献１に記載されているように、無線基地局のＳＳＩＤを含む情報を無線通信端末に予め設定しておき、特定無線サービスを提供する無線基地局の傍まで行って、この無線基地局のＳＳＩＤと予め把握されている又は予め設定されているＳＳＩＤとが一致することで、初めて、当該無線基地局から特定無線サービスの提供が受けられるようになる。
【先行技術文献】
【特許文献】
【０００４】
【特許文献１】特開２００９−１２４４０９号公報
【発明の概要】
【発明が解決しようとする課題】
【０００５】
しかしながら、従来技術では、例えば、デパートに行ったときや列車に乗ったとき等、ほとんどの場合、その場所で無線基地局のＳＳＩＤを予め把握等していないばかりか、その場でどのような無線サービスが提供されるかを知らないことが多いため、その場所で効率的に無線サービスの提供を受けることができないという問題点がある。
【０００６】
本発明は、このような従来技術の問題点に着目し、無線サービスの利便性を高めることができる技術を提供することを目的とする。
【課題を解決するための手段】
【０００７】
前記問題点を解決するための発明に係る情報提供サーバは、
１以上の無線基地局により構成されるサービスを提供する空間的な広がりを識別するサービス空間情報と、該サービス空間に対応した無線サービス名または該無線サービスを利用するために必要なアプリケーションソフト情報を含むサービス情報と、前記無線サービスを提供する無線基地局情報と、を有し、該サービス空間情報と該サービス情報と該無線基地局の識別子とを互いに対応付けて記憶する記憶手段と、前記記憶手段の記憶内容を参照して、前記１以上の無線基地局毎に、当該無線基地局の識別子に対応付けられている、前記サービス空間情報と前記サービス情報とのうち少なくとも一方を含むサービス環境情報を含む通信フレームを作成する通信制御手段と、
前記通信制御手段が作成した前記１以上の無線基地局へのそれぞれの通信フレームを、該１以上の無線基地局に送信して、該１以上の無線基地局からブロードキャストにより該通信フレーム中の前記サービス環境情報を無線送信させる通信手段と、を備えていることを特徴とする。
【０００８】
前記問題点を解決するための発明に係る無線通信端末は、
無線基地局と無線通信する無線通信手段と、表示手段と、データを記憶する記憶手段と、制御手段と、を備え、
前記制御手段は、
前記無線通信手段が前記無線基地局からのブロードキャストによる無線信号を受信すると、該無線信号を解析して、該無線信号が示す情報中に、無線サービスを識別する、サービスを提供する空間的な広がりを識別するサービス空間情報と、該サービス空間に対応した無線サービス名又は該無線サービスを利用するために必要なアプリケーションソフト情報を含むサービス情報とを含むサービス環境情報を含んでいるかを判断する解析ステップと、前記無線信号が示す情報中に前記サービス環境情報を含んでおり、且つ予め定められた表示条件を満たしたときに、前記表示手段に、該サービス環境情報中の前記無線サービス名の情報及び前記サービス空間情報が示す情報を表示させる環境情報表示ステップと、前記記憶手段に、前記アプリケーションソフト情報が示すアプリケーションソフトが記憶されているか否かを判断する判断ステップと、前記判断ステップで、前記アプリケーションソフト情報が示すアプリケーションソフトが前記記憶手段に記憶されていると判断され、且つ予め定められた起動条件を満たしたときに、該アプリケーションソフトを起動させる起動ステップと、を実行する、ことを特徴とする。
【発明の効果】
【０００９】
本発明によれば、無線基地局から無線サービスを提供している際に、この無線基地局からサービス環境情報も提供されるため、その場での無線基地局のＳＳＩＤを把握しておらず、しかも、その場でどのような無線サービスが提供されるかを事前に知らない場合でも、その場での無線サービスの提供を効率的に受けることができる。
【００１０】
さらに、本実施形態では、無線サービスの無線通信を行う無線基地局と、この無線サービスに関するサービス環境情報を無線送信する無線基地局とが同じになるため、無線サービスやサービス環境情報の提供側の構成が簡略化される上に、サービス環境情報に基づいて無線サービスの提供を受ける利用者にとって、通信先の設定操作を簡略化することができる。
【図面の簡単な説明】
【００１１】
【図１】本発明に係る第一実施形態におけるサービス提供システムの系統図である。
【図２】本発明に係る第一実施形態におけるサービス提供サーバ及び無線基地局の構成図である。
【図３】本発明に係る第一実施形態における無線通信端末の構成図である。
【図４】本発明に係る第一実施形態におけるサービス環境情報テーブルのデータ構成を示す説明図である。
【図５】本発明に係る第一実施形態における自動起動サービスリスト及び利用予定サービスリストのデータ構成を示す説明図である。
【図６】本発明に係る第一実施形態におけるサービス環境情報の通信フレームのデータ構成を示す説明図である。
【図７】本発明に係る第一実施形態におけるサービスデータの通信フレームのデータ構成を示す説明図である。
【図８】本発明に係る第一実施形態におけるサービス環境情報配信部の動作を示すフローチャートである。
【図９】本発明に係る第一実施形態におけるサービス環境情報処理部の動作（その１）を示すフローチャートである。
【図１０】本発明に係る第一実施形態におけるサービス環境情報処理部の動作（その２）を示すフローチャートである。
【図１１】本発明に係る第一実施形態におけるサービス環境情報処理部の動作（その３）を示すフローチャートである。
【図１２】本発明に係る第一実施形態におけるサービス環境情報処理部の動作（その４）を示すフローチャートである。
【図１３】本発明に係る第一実施形態におけるサービス環境情報処理部の動作（その５）を示すフローチャートである。
【図１４】本発明に係る第一実施形態における無線基地局でのサービス環境情報及びサービスデータの送出タイミングを示す説明図である。
【図１５】本発明に係る第一実施形態における無線通信端末の表示画面例を示す説明図である。
【図１６】本発明に係る第二実施形態におけるサービス提供システムの系統図である。
【発明を実施するための形態】
【００１２】
以下、本発明に係るサービス提供システムの各実施形態について、図面を用いて説明する。
【００１３】
「第一実施形態」
本実施形態のサービス提供システムは、図１に示すように、列車１０内で無線サービスを提供するものである。
【００１４】
このサービス提供システムは、無線サービスのデータ提供元であるサービス提供サーバ１００と、このサービス提供サーバ１００のデータの変更等のための管理装置２００と、列車１０の各車両１１,１２,…,１４,１５毎に設けられている無線基地局３００と、無線基地局３００と無線通信する無線通信端末４００ｇ,４００ｍ,４００ｃと、を有している。
【００１５】
サービス提供サーバ１００及び管理装置２００は、第１車両１１の運転室１１ａ内に設置されている。この運転室１１ａに居る運転士は、無線通信端末４００ｍを携帯している。また、最後尾の車両１５の運転室１５ａに居る車掌や、各車両１２,１４等に居る車掌は、無線通信端末４００ｃを携帯している。各車両１１,１２,…,１４,１５に居る乗客は、無線通信端末４００ｇを携帯している。なお、ここでの列車１０は、１５車両連結であるものとする、つまり、この列車１０の最後尾の車両は第１５車両１５であるものとする。また、この列車１０の第１４両目の車両１４は、女性専用車両であるものとする。
【００１６】
サービス提供サーバ１００と、各車両１１,１２,…,１４,１５毎に設けられている無線基地局３００と、管理装置２００とは、図２に示すように、車内ＬＡＮ１により、相互に通信可能に接続されている。管理装置２００は、外部から各種データ等を取得できるように、無線装置等を介して、外部ネットワーク２と接続されている。
【００１７】
各車両１１,１２,…,１４,１５毎に設けられている無線基地局３００と、各車両１１,１２,…,１４,１５内の無線通信端末４００ｇ,４００ｍ,４００ｃとの間の無線通信は、例えば、IEEE 802.11で規定されている無線ＬＡＮ方式等に従って実行させる。なお、以下では、特に明示しない限り、乗客が携帯している無線通信端末４００ｇ、運転士が携帯している無線通信端末４００ｍ、車掌が携帯している無線通信端末４００ｃを、単に、無線通信端末４００として説明する。
【００１８】
サービス提供サーバ１００は、図２に示すように、車内ＬＡＮ１と接続されているＬＡＮインタフェース１１０と、各種演算処理を実行するＣＰＵ１２０と、このＣＰＵ１２０のワークエリア等になるＲＡＭ１３０と、予め各種データ等が格納されているＲＯＭ１３５と、ハードディスクドライブ装置等の補助記憶装置１４０と、マイク１５１と、このマイク１５１からのアナログ音信号をディジタル音信号に変換等する音声入力インタフェース１５０と、を備えている。
【００１９】
補助記憶装置１４０には、ＣＰＵ１２０が通信制御処理を実行するための通信プログラム１４１と、ＣＰＵ１２０が各種サービス処理を実行するためのサービス処理プログラム１４６ａ，１４６ｂ，…,１４６ｎと、各種サービス毎のサービスデータ１４７ａ，１４７ｂ，…,１４７ｎと、無線通信端末４００で各種サービスの提供を受けるために必要な各種サービス毎のサービスアプリケーションソフト１４８ａ，１４８ｂ，…,１４８ｎと、ＣＰＵ１２０がサービス環境情報の配信処理を実行するためのサービス環境情報配信プログラム１４９と、サービス環境情報が記憶されているサービス環境情報テーブル１６０と、が予め格納されている。補助記憶装置１４０には、以上の他、その他の各種プログラムや、自装置や車内ＬＡＮ１に接続されている各種機器の構成情報等が格納されている。
【００２０】
なお、本実施形態において、これらのプログラムやデータ等は、いずれも、管理装置２００から提供される。但し、これらのプログラムやデータ等は、管理装置２００から提供される必要性はなく、例えば、このサービス提供サーバ１００が外部と通信するための通信装置を備えている場合には、この通信装置を介して外部から提供されるようにしてもよいし、このサービス提供サーバがＣＤやＤＶＤ等のディスク型記憶媒体の再生装置を備えている場合には、この再生装置に装着されたディスク型記憶媒体を介して外部から提供されるようにしてもよい。
【００２１】
ＣＰＵ１２０は、機能的に、車内ＬＡＮ１による通信を制御する通信制御部１２１と、補助記憶装置１４０に対するデータの入出力を制御する記憶制御部１２２と、各種サービス処理を実行するサービス処理部１２６ａ，１２６ｂ，…,１２６ｎと、サービス環境情報の配信処理を実行するサービス環境情報配信部１２９と、を有している。これらの機能部のうち、通信制御部１２１は、補助記憶装置１４０に格納されている通信プログラム１４１を実行することで機能する。また、記憶制御部１２２は、補助記憶装置１４０に格納されている図示されていないプログラムを実行することで機能する。また、サービス処理部１２６ａ，１２６ｂ，…,１２６ｎ、サービス環境情報配信部１２９は、それぞれ、補助記憶装置１４０に記憶されているサービス処理プログラム１４６ａ，１４６ｂ，…,１４６ｎ、サービス環境情報配信処理プログラム１４９を実行することで機能する。
【００２２】
以上のように、このサービス提供サーバ１００は、各種無線サービスを提供するサービス提供サーバとしての機能の他に、各種無線サービスに関するサービス環境情報を提供するサービス環境情報提供サーバとしても機能する。なお、この実施形態では、一つのサーバ１００に、サービス提供サーバとしての機能とサービス環境情報提供サーバとしての機能とを組み込んだが、後述の第二実施形態のように、各機能をそれぞれ別個のサーバで実現してもよいことは言うまでもない。
【００２３】
管理装置２００は、車内ＬＡＮ１や外部ネットワーク２と通信可能なコンピュータである。
【００２４】
無線基地局３００は、車内ＬＡＮ１と接続されているＬＡＮインタフェース３１０と、各種演算処理を実行するＣＰＵ３２０と、このＣＰＵ３２０のワークエリア等になるＲＡＭ３３０と、フラッシュＲＯＭ３３５と、を有している。フラッシュＲＯＭ３３５には、ＣＰＵ３２０が通信制御部として機能するための通信プログラムや、自装置の構成情報等が格納されている。
【００２５】
無線通信端末４００は、図３に示すように、車内ＬＡＮ１と接続されているＬＡＮインタフェース４１０と、各種演算処理を実行するＣＰＵ４２０と、このＣＰＵ４２０のワークエリア等になるＲＡＭ４３０と、各種データ等が予め格納されているＲＯＭ４３５と、各種プログラムや各種データ等が格納されているフラッシュＲＯＭ４４０と、マイク４５１と、スピーカ４５２と、入力キー４５３と、ディスプレイ４５４と、マイク４５１、スピーカ４５２、入力キー３３５及びディスプレイ４５４のインタフェース４５０と、を備えている。
【００２６】
フラッシュＲＯＭ４４０には、ＣＰＵ４２０が通信制御処理を実行するための通信プログラム４４１と、サービス提供サーバ１００からの提供されたサービスの処理をＣＰＵ４２０が実行するためサービスアプリケーションソフト４４８ａと、サービス提供サーバ１００からの提供されたサービス環境情報の処理をＣＰＵ４２０が実行するためのサービス環境情報処理プログラム４４９と、その他の各種プログラム４４４と、自装置の構成情報等とが予め格納されている。フラッシュＲＯＭ４４０には、以上の他、自動起動するアプリケーションソフトに対応するサービスの情報が格納される自動起動サービスリスト４４５が設けられている。また、ＲＡＭ４３１には、サービス環境情報処理プログラム４４９の実行過程で、利用予定のサービスに関する情報が格納される利用予定サービスリスト４３１が設けられる。
【００２７】
ＣＰＵ４２０は、機能的に、車内ＬＡＮ１による通信を制御する通信制御部４２１と、フラッシュＲＯＭ４４０に対するデータの入出力を制御する記憶制御部４２２と、ディスプレイ４５４での表示を制御する表示制御部４２４と、入力キー４５３での入力を制御する入出力制御部４２５と、サービス処理部４２８と、サービス環境情報処理部４２９とを有している。これらの機能部のうち、サービス処理部４２８は、フラッシュＲＯＭ４４０に格納されているサービスアプリケーションソフト４４８ａをＣＰＵ４２０が実行することで機能し、サービス環境情報処理部４２９は、フラッシュＲＯＭ４４０に格納されているサービス環境情報処理プログラム４４９をＣＰＵ４２０が実行することで機能する。
【００２８】
次に、サービス提供サーバ１００の補助記憶装置１４０に格納されているサービス環境情報テーブル１６０のデータ構成について、図４を用いて説明する。
【００２９】
サービス環境情報テーブル１６０は、サービス提供サーバ１００が提供する各種サービスのサービス提供空間を階層的に特定するための空間階層項目が格納されている空間階層項目領域１６１と、この空間階層項目領域１６１に格納されている各空間階層項目毎の空間階層名が格納されている空間階層名領域１６２と、各サービスのサービス名が格納されるサービス名領域１６３と、無線通信端末側での各サービスの実行優先度が格納されている優先度領域１６４と、各サービスを実行するために必要なアプリケーションソフト名が格納されているアプリケーションソフト名領域１６５と、各サービスの提供元のＩＰアドレスが格納されているＩＰアドレス領域１６６と、各サービスの配信周期が格納されている配信周期領域１６７と、各サービスの対象利用者が格納されている対象利用者領域１６８と、各サービスに関するサービス環境情報の利用制限の有無が格納されている利用制限領域１６９と、サービス環境情報のセキュリティを解除するためのパスワードが格納されているパスワード領域１７１と、サービス環境情報として無線通信端末４００に表示される表示データが格納されている表示データ領域１７２と、サービスの提供空間の識別子及びこのサービスを受けるために必要なアプリケーションソフトの識別子が格納されている空間/アプリ識別子領域１７３と、無線通信端末４００に別途表示される詳細情報が格納されている詳細情報領域１７４と、各無線基地局３００と各サービスとの対応関係を示す対応関係領域１７５と、を有する。
【００３０】
空間階層項目領域１６１は、６つの領域に分けられており、各領域には、「Ｌ１：地域・国」、「Ｌ２：交通機関」、「Ｌ３：運営組織」、「Ｌ４：路線」、「Ｌ５：列車」、「Ｌ６：車両」、が格納されている。
【００３１】
空間階層名領域１６２中で、「Ｌ１：地域・国」に対応する領域には「日本」が格納され、「Ｌ２：交通機関」に対応する流域には「鉄道」が格納され、「Ｌ３：運営組織」に対応する領域には「Ａ鉄道会社」が格納され、「Ｌ４：路線」に対応する領域には「東海道」が格納され、「Ｌ５：列車」に対応する領域には「列車運行No.Ａ１４」が格納されている。また、空間階層名領域１６２中で「Ｌ６：車両」に対応する領域は、４つの領域に分けられており、各領域には、「車両No. 01〜15」、「車両No.01〜13，15」、「車両No.14」、「車両No.01，15」が格納されている。但し、「Ｌ６：車両」に対応する領域は、実際には、車両数である１５の領域分けられており、各領域に、車両No.01〜15のいずれかが格納されている。
【００３２】
サービス名領域１６３中で、「日本」に対応する領域には「緊急通報」が格納され、「鉄道」「Ａ鉄道会社」「東海道」に対応する領域には「―（サービス名無し）」が格納されている。サービス名領域１６３中で「列車運行No.Ａ１４」に対応する領域は、４つの領域に分けられており、各領域に、「緊急通報」「運行案内・降車通知」「Ｗｅｂ」「車掌業務支援」が格納されている。また、サービス名領域１６３中で、「車両No.01〜15」に対応する領域には「緊急通報」が格納され、「車両No.01〜13，15」に対応する領域には「一般旅客向けエンターテインメント」が格納され、「車両No.14」に対応する領域には「女性向けエンターテインメント」が格納され、「車両No.01，15」に対応する領域には「運転支援」が格納されている。
【００３３】
以上のように、このサービス環境情報テーブル１６０では、本実施形態の列車１０において、この列車１０の全車両は「緊急通報（日本規模での通報」）」「緊急通報（当該列車規模での緊急通報）」「運行案内・降車通知」「Ｗｅｂ」「車掌業務支援」のサービスが提供されるサービス空間であり、車両No.01及び車両No.15の車両は「運転支援」「一般旅客向けエンターテインメント」「緊急通報（当該車両規模での通報）」のサービスが提供されるサービス空間であり、車両No.02〜車両No.13の車両は「一般旅客向けエンターテインメント」「緊急通報（当該車両規模での緊急通報）」のサービスが提供されるサービス空間であり、車両No.14の車両は「女性向けエンターテインメント」「緊急通報（当該車両規模での緊急通報）」のサービスが提供されるサービス空間である、ことが示されている。
【００３４】
なお、本実施形態において、「緊急通報（日本規模での通報」）」のサービスは、例えば、広範囲な地震等の災害等、全国民レベルで緊急に知っておくべき事象が生じた場合、これを通報するサービスである。「緊急通報（当該列車規模での緊急通報）」のサービスは、列車レベルでの災害等が生じ場合、これを通報するサービスである。「緊急通報（当該車両規模での通報）」のサービスは、列車レベルで災害等が生じ場合、車両毎の乗客誘導の通報や、車両レベルでの災害等を通報するサービスである。
【００３５】
「車掌業務支援」のサービスは、車掌が業務を遂行するために有意義な情報等を提供するサービスで、全車両で利用できるサービスである。「運転業務支援」のサービスは、運転士が業務を遂行するために有意義な情報等を提供するサービスで、運転士が存在する最前列の第１車両及び最後列の第１５車両で利用できるサービスである。
【００３６】
また、「運行案内・降車通知」のサービスは、停車駅や現在地の通報や、利用者個人の降車駅の近くになった時点での降車の通報を行うサービスである。「Ｗｅｂ」のサービスは、文字通り、Ｗｅｂサービスであり、ここでは列車内イントラネットを利用したサービスで、全車両で利用できるサービスである。なお、このＷｅｂサービスは、インターネットを利用してもよい。
【００３７】
「一般旅客向けエンターテインメント」のサービスは、一般旅客向けにニュース、天気予報、娯楽情報、広告等を提供するサービスで、女性専用車両である第１４車両を除く全ての車両で利用できるサービスである。一方、「女性向けエンターテインメント」のサービスは、一般的なニュースや天気予報の他に、女性向けの娯楽情報や広告等を多く提供するサービスで、女性専用車両である第１４車両のみで利用できるサービスである。
【００３８】
サービス環境情報テーブル１６０の優先度領域１６４中で「列車運行No.Ａ１４」「車掌支援」に対応する領域、及び「車両No.01，15」「運転業務支援」に対応する領域には「Ａ」が格納され、優先度領域１６４中で「日本」「緊急通報」に対応する領域、「列車運行No.Ａ１４」「緊急通報」に対応する領域、及び「車両No.01〜15」に対応する領域には、「Ｂ」が格納されている。また、優先度領域１６４中で「列車運行No.Ａ１４」「運行案内・降車通知」に対応する領域には「Ｃ」が格納され、優先度領域１６４中で「車両No.01〜13,15」「一般旅客向けエンターテインメント」に対応する領域、及び「車両No.14」「女性向けエンターテインメント」に対応する領域には「Ｄ」が格納され、「列車運行No.Ａ１４」「Ｗｅｂ」に対応する領域には「Ｅ」が格納されている。なお、優先度領域１６４に格納される「Ａ〜Ｅ」のうち、最も優先度が高いものが「Ａ」であり、最も優先度が低いものが「Ｅ」である。
【００３９】
サービス環境情報テーブル１６０のアプリケーションソフト名領域１６５中で、サービス名が「緊急通報」に対応する領域には「緊急通報」が格納され、サービス名が「運行案内・降車通知」に対応する領域には「運行案内・降車通知」が格納され、サービス名が「Ｗｅｂ」に対応する領域には「Ｗｅｂアプリ」が格納されている。また、アプリケーションソフト名領域１６５中で、サービス名が「車掌業務支援」に対応する領域には「車掌支援」が格納され、サービス名が「一般旅客向けエンターテインメント」及び「女性向けエンターテインメント」に対応する領域には「車内エンターテインメント視聴」が格納され、サービス名が「運転業務支援」に対応する領域には「運転支援」が格納されている。
【００４０】
サービス環境情報テーブル１６０のＩＰアドレス領域１６６中で、サービス名が「運行案内・降車通知」「Ｗｅｂ」「車掌業務支援」「一般旅客向けエンターテインメント」「女性向けエンターテインメント」「運転業務支援」に対応する領域には、当該サービス提供サーバ１００のＩＰアドレスである「xxx.yyy.zzz.263」が格納されている。なお、「緊急通報」のサービスは、いわゆるプッシュ型のサービスで、サービス提供サーバ１００から一方的に無線通信端末４００側へ提供されるサービスであり、無線通信端末４００側に、このサービスの提供元を知らせる必要性がないため、ＩＰアドレス領域１６６中でこのサービスに対応する領域にはＩＰアドレスが格納されていない。また、「運行案内・降車通知」「一般旅客向けエンターテインメント」「女性向けエンターテインメント」のサービスも基本的にはプッシュ型のサービスであるが、無線通信端末４００側から何らかの要求又はデータを送りたい場合があるので、ＩＰアドレス領域１６６中でこれらのサービスに対応する領域にはＩＰアドレスが格納されている。また、「Ｗｅｂ」「車掌業務支援」「運転業務支援」のサービスは、サービス提供元と無線通信端末４００との交信を前提としたサービスであるため、ＩＰアドレス領域１６６中でこれらのサービスに対応する領域にはＩＰアドレスが格納されている。
【００４１】
サービス環境情報テーブル１６０の配信周期領域１６７中で、サービス名が「緊急通報」「車掌業務支援」「運転業務支援」に対応する領域には「２（秒）」が格納され、サービス名が「運行案内・降車通知」「Ｗｅｂ」「一般旅客向けエンターテインメント」「女性向けエンターテインメント」に対応する領域には「１（秒）」が格納されている。
【００４２】
サービス環境情報テーブル１６０の対象利用者領域１６８中で、サービス名が「緊急通報」「運行案内・降車通知」「Ｗｅｂ」「一般旅客向けエンターテインメント」「女性向けエンターテインメント」に対応する領域には「全員」が格納され、対象利用者領域１６８中で、サービス名が「車掌業務支援」「運転業務支援」に対応する領域には、それぞれ、「車掌」「運転士」が格納されている。
【００４３】
サービス環境情報テーブル１６０の利用制限領域１６９中で、サービス名が「緊急通報」「運行案内・降車通知」「Ｗｅｂ」「一般旅客向けエンターテインメント」「女性向けエンターテインメント」に対応する領域、つまり対象利用者が「全員」に対応する領域には「開放」が格納され、セキュリティ制限領域１６９中で、サービス名が「車掌業務支援」「運転業務支援」に対応する領域には「制限」が格納されている。
【００４４】
サービス環境テーブル１６０のパスワード領域１７１中で、サービス名が「車掌業務支援」「運転業務支援」に対応する領域、つまり利用制限が「制限」に対応する領域には、セキュリティ等を解除するためのパスワードが格納されている。このパスワードは、例えば、当該列車の運転開始時等に、運転室１１ａ内の管理装置２００から入力される。なお、ここでは、一つの領域中に一つのパスワードしか格納していないが、複数のパスワードを格納してもよい。
【００４５】
サービス環境テーブル１６０の表示データ領域１７２中で、空間階層名が「日本」でサービス名が「緊急通報」に対応する領域には、サービス提供空間名としての「全国」とサービス名としての「緊急通報」とが格納されている。表示データ領域１７２中で、空間階層名が「列車運行No.Ａ14」でサービス名が「緊急通報」に対応する領域には、サービス提供空間名としての「東海道線Ａ14号」とサービス名としての「緊急通報」とが格納されている。表示データ領域１７２中でサービス名が「運行案内・降車通知」に対応する領域には、サービス提供空間名としての「東海道線Ａ14号」とサービス名としての「運行案内・降車通知」とが格納されている。表示データ領域１７２中でサービス名が「Ｗｅｂ」に対応する領域には、サービス提供空間名としての「東海道線Ａ14号」とサービス名としての「列車内イントラ接続」とが格納されている。表示データ領域１７２中でサービス名が「車掌業務支援」に対応する領域には、サービス提供空間名としての「東海道線Ａ14号」とサービス名としての「車掌業務」とが格納されている。表示データ領域１７２中で空間階層名が「車両No.01〜15」でサービス名が「緊急通報」に対応する領域には、サービス提供空間名としての「第02車両（又は、第01,03〜15車両のうちのいずか）」とサービス名としての「緊急通報」とが格納されている。表示データ領域１７２中でサービス名が「一般旅客向けエンターテイメント」に対応する領域には、サービス提供空間名としての「東海道線Ａ14号」とサービス名としての「エンターテインメント」とが格納されている。表示データ領域１７２中でサービス名が「女性向けエンターテイメント」に対応する領域には、サービス提供空間名としての「東海道線Ａ14号」とサービス名としての「女性向けエンターテインメント」とが格納されている。表示データ領域１７２中でサービス名が「運転業務支援」に対応する領域には、サービス提供空間名としての「東海道線Ａ14号」とサービス名としての「運転業務」とが格納されている。
【００４６】
サービス環境情報テーブル１６０の空間/アプリ識別子領域１７３中で、空間階層名が「日本」でサービス名が「緊急通報」に対応する領域には、サービス提供空間の識別子としての「ＪＰ（日本）」とアプリケーションソフトの識別子としての「ＥＭＧ」とが格納されている。空間/アプリ識別子領域１７３中で、空間階層名が「列車運行No.Ａ14」でサービス名が「緊急通報」に対応する領域には、サービス提供空間の識別子としての「Ａ14」とアプリケーションソフトの識別子としての「ＥＭＧ」とが格納されている。空間/アプリ識別子領域１７３中でサービス名が「運行案内・降車通知」に対応する領域には、サービス提供空間識別子としての「Ａ14」とアプリケーションソフトの識別子としての「ＩＮＦ」とが格納されている。空間/アプリ識別子領域１７３中でサービス名が「Ｗｅｂ」に対応する領域には、サービス提供空間識別子としての「Ａ14」とアプリケーションソフトの識別子としての「ＨＴＴＰ」とが格納されている。空間/アプリ識別子領域１７３中でサービス名が「車掌業務支援」に対応する領域には、サービス提供空間識別子としての「Ａ14」とアプリケーションソフトの識別子としての「ＣＯＮ」とが格納されている。空間/アプリ識別子領域１７３中で空間階層名が「車両No.01〜15」でサービス名が「緊急通報」に対応する領域には、サービス提供空間識別子としての「ＡＬＣ」とアプリケーションソフトの識別子としての「ＥＭＧ」とが格納されている。空間/アプリ識別子領域１７３中でサービス名が「一般旅客向けエンターテイメント」に対応する領域には、サービス提供空間識別子としての「ＷＯ14（14号を除く）」とアプリケーションソフトの識別子としての「ＥＮＴ」とが格納されている。空間/アプリ識別子領域１７３中でサービス名が「女性向けエンターテイメント」に対応する領域には、サービス提供空間識別子としての「14」とアプリケーションソフトの識別子としての「ＥＮＴ」とが格納されている。空間/アプリ識別子領域１７３中でサービス名が「運転業務支援」に対応する領域には、サービス提供空間識別子としての「１＆１５」とアプリケーションソフトの識別子としての「ＤＲＶ」とが格納されている。
【００４７】
サービス環境情報テーブル１６０の詳細情報領域１７４中で、空間階層名が「日本」でサービス名が「緊急通報」に対応する領域には、全国レベル緊急情報としての具体的な簡略内容と、このサービスを受けるために必要なアプリケーションソフトの具体的な入手方法、例えば、入手先のＩＰアドレス等を含む情報とが格納されている。詳細情報領域１７４中で、空間階層名が「列車運行No..Ａ14」でサービス名が「緊急通報」に対応する領域には、当該列車内の人員に対する具体的な非難情報等が格納されている。また、空間階層名が「車両No..01〜15」でサービス名が「緊急通報」に対応する領域には、各車両毎の人員に対する具体的な非難情報等が格納されている。つまり、「車両No.01〜15」におけるサービス「緊急通報」は、車両毎に異なっている、言い換えると、「車両No.01〜15」におけるサービス「緊急通報」のサービス提供空間は、各車両毎に異なるサービス提供空間である。なお、詳細情報領域１７４中で、空間階層名が「日本」でサービス名が「緊急通報」に対応する領域に関しても、アプリケーションの入手方法の情報を格納せず、全国レベル緊急情報としての具体的な簡略していない内容を格納するようにしてもよい。
【００４８】
詳細情報領域１７４中でサービス名が「運行案内・降車通知」「Ｗｅｂ」に対応する領域には、このサービスを受けるために必要なアプリケーションソフトの具体的な入手方法が格納されている。詳細情報領域１７４中でサービス名が「車掌業務支援」「運転業務支援」に対応する領域には、このサービスの利用者に対する列車情報としての具体的な簡略内容が格納されている。
【００４９】
また、詳細情報領域１７４中でサービス名が「一般旅客向けエンターテインメント」「女性向けエンターテインメント」に対応する領域には、当該車両No.と、このサービスを受けるために必要なアプリケーションソフトの具体的な入手方法が格納されている。
【００５０】
ところで、このサービス環境情報テーブル１６０で示すサービス環境情報は、サービス毎で且つ当該サービスの提供空間毎に存在する。すなわち、サービス環境テーブル１６０中で、縦一列のデータ群が一つのサービス環境情報を構成している。そこで、このサービス環境情報テーブル１６０では、複数のサービス環境情報のそれぞれと複数の無線基地局３００とを対応関係領域１７５で対応付けている。
【００５１】
具体的に、この対応関係領域１７５では、空間階層名が「日本」でサービス名が「緊急通報」のサービス環境情報、空間階層名が「列車運行No.Ａ14」でサービス名が「緊急通報」のサービス環境情報、空間階層名が「列車運行No.Ａ14」でサービス名が「運行案内・降車通知」のサービス環境情報、空間階層名が「列車運行No.Ａ14」でサービス名が「Ｗｅｂ」のサービス環境情報、空間階層名が「列車運行No.Ａ14」でサービス名が「車掌業務支援」のサービス環境情報、空間階層名が「車両No.01〜15」の各サービス環境情報に対して、ＭＡＣアドレスの最下層が「：11」の第１車両内の無線基地局３００からＭＡＣアドレスの最下層が「：1F」の第１５車両内の無線基地局３００、つまり、全て車両内の無線基地局３００を対応付けている。
【００５２】
また、この対応関係領域１７５では、空間階層名が「車両No.01〜13,15」でサービス名が「一般旅客向けエンターテインメント」のサービス環境情報に対して、ＭＡＣアドレスの最下層が「：1E」の第１４車両の無線基地局３００を除く全ての車両内の無線基地局３００を対応付け、空間階層名が「車両No.14」でサービス名が「女性向けエンターテインメント」のサービス環境情報に対して、ＭＡＣアドレスの最下層が「：1E」の第１４車両内の無線基地局３００を対応付けている。また、この対応関係領域１７５では、空間階層名が「車両No. 01,15」でサービス名が「運転業務支援」のサービス環境情報に対して、ＭＡＣアドレスの最下層が「：11」の第１車両内の無線基地局３００とＭＡＣアドレスの最下層が「：1F」の第１５車両内の無線基地局３００とを対応付けている。
【００５３】
次に、サービス提供サーバ１００の動作について説明する。
【００５４】
まず、図８を用いて、サービス提供サーバ１００のサービス環境情報配信部１２９の動作について説明する。
【００５５】
サービス環境情報配信部１２９は、サービス環境情報テーブル１６０（図４）中の配信周期領域１６７を参照して、配信タイミングになったサービス環境情報があるか否かを監視している（Ｓ１０）。サービス環境情報配信部１２９は、いずれかのサービス環境情報が配信タイミングになると、このサービス環境情報をサービス環境情報テーブル１６０から取得し（Ｓ１１）、このサービス環境情報を含む通信フレームを通信制御部１２１に作成させ、この通信フレームの送信を指示する（Ｓ１２）。この結果、サービス環境情報の通信フレームは、ＬＡＮインタフェース１１０から車内ＬＡＮ１を介して、この通信フレームが指定する無線基地局３００からブロードキャストで無線送出される。以下、以上のステップ１０〜ステップ１２の処理が繰り返して実行される。
【００５６】
次に、サービス提供サーバ１００の各サービス処理部１２６ａ，１２６ｂ，…,１２６ｎの動作について説明する。なお、以下では、便宜上、サービスａ処理部１２６ａが、プッシュ型のサービスである「緊急通報」のサービス処理を行い、サービスｂ処理部１２６ｂが、基本的にはプッシュ型のサービスであるものの、場合によっては交信も行うサービスである「運行案内・降車通知」のサービス処理を行い、サービスｎ処理部１２６ｎが、無線通信端末４００との交信を前提としたサービスである「運転支援」のサービス処理を行うものをとする。
【００５７】
プッシュ型のサービスである「緊急通報」のサービス処理を行うサービスａ処理部１２６ａは、補助記憶装置１４０内の「緊急通報」のサービスａデータ１４７ａが記憶制御部１２２により更新されたか否かを監視しており、更新されると、補助記憶装置１４０から記憶制御部１２２を介して、この更新されたサービスａデータ１４７ａを取得し、このサービスａデータ１４７ａの一部又は全部を含む通信フレームを通信制御部１２１に作成させ、この通信フレームの送信を指示する。
【００５８】
次に、「運行案内・降車通知」のサービス処理を行うサービスｂ処理部１２６ｂの動作について説明する。
【００５９】
補助記憶装置１４０内の「運行案内・降車通知」のサービスｂデータ１４７中には、無線通信端末４００側へ配信するサービスコンテンツデータの他に、このデータを配信するタイミングを示すスケジュールも含まれている。「運行案内・降車通知」のサービス処理を行うサービスｂ処理部１２６ｂは、このスケジュールを参照して、サービスコンテンツデータを配信するタイミングになると、補助記憶装置１４０から記憶制御部１２２を介して、この更新されたサービスａデータ１４７ａを取得し、このサービスｂデータ１４７ｂの一部又は全部を含む通信フレームを通信制御部１２１に作成させ、この通信フレームの送信を指示する。この通信フレームの送信に対して、無線通信端末４００側からの何らかの要求又はデータが送られてきた場合、サービスｂ処理部１２６ｂは、通信制御部１２１からこの要求又はデータを受け取り、これに対する応答処理を行い、その結果を通信制御部１２１により無線通信端末４００へ送信させる。
【００６０】
次に、無線通信端末４００との交信を前提としたサービスである「運転支援」のサービス処理を行うサービスｎ処理部１２６ｎの動作について説明する。
【００６１】
サービスｎ処理部１２６ｎは、補助記憶装置１４０内の「運転支援」のサービスｎデータ１４７ｎが記憶制御部１２２により更新されたか否かを監視しており、更新されるか、無線通信端末４００側からサービスデータの送信要求があると、補助記憶装置１４０から記憶制御部１２２を介して、サービスｎデータ１４７ｎを取得し、このサービスｎデータ１４７ｎの一部又は全部を含む通信フレームを通信制御部１２１に作成させ、この通信フレームの送信を指示する。また、この通信フレームの送信に対して、無線通信端末４００側からの何らかの要求又はデータが送られてきた場合、サービスｎ処理部１２６ｎは、通信制御部１２１からこの要求又はデータを受け取り、これに対する応答処理を行い、その結果を通信制御部１２１により無線通信端末４００へ送信させる。
【００６２】
次に、図６を用いて、サービス提供サーバ１００から送出されるサービス環境情報の通信フレームの構成について説明する。
【００６３】
サービス環境情報の通信フレーム２０は、ＭＡＣヘッダ２１とＭＡＣボディ２３とを有している。ＭＡＣヘッダ２１には宛先アドレス２２等が格納され、ＭＡＣボディ２３にはＩＰパケットが格納される。
【００６４】
このＩＰパケットのヘッダ２４には、宛先アドレス２５等が格納され、ペイロード３０には、制御情報ａ３１と、サービス環境情報中の空間情報４０と、制御情報ｂ３１ｂと、サービス環境情報中のサービス情報５０とが格納される。
【００６５】
制御情報ａ３１は、タイプ３２とサブタイプ３３とデータ形式３４とデータ長３５とを有している。タイプ３２には、ペイロード３０内のデータがサービス環境情報であることを示す「１」が格納される。なお、ペイロード３０内のデータがサービスデータである場合、タイプ３２には「２」が格納される。サブタイプ３３には、空間の階層数（この例では「６」）が格納される。データ形式３４には、データの表現形式が格納され、具体的には、空間識別情報やサービス識別情報を示す文字や記号がいかなる表現形式（日本語漢字、日本語カタカナ、ローマ字、英語）か、空間識別情報が経度緯度や専用ＩＤで表されるか、等が格納される。データ長３５には空間情報４０のデータ長が格納される。なお、データ形式３４に関するデータは、図４に示すサービス環境情報テーブル１６０中に存在していないが、サービス環境情報テーブル１６０が補助記憶装置１４０中に格納される時点で、この補助記憶装置１４０に格納される。
【００６６】
空間情報４０は、サービス提供空間に関する情報であり、空間識別情報４１と空間識別子４４とを有する。空間識別情報４１は、サービス提供空間を示す６つの階層の各空間階層名４２ａ〜４２ｆと、無線通信端末４００側で表示される、このサービス提供空間の名称を示す表示データ４３と、を有する。具体的に、空間識別情報４１中の各空間階層名４２ａ〜４２ｆには、例えば、サービス提供空間が第２車両である場合、Ｌ１：日本、Ｌ２：鉄道、Ｌ３：Ａ鉄道会社、Ｌ４：東海道、Ｌ５：列車No.Ａ14、Ｌ６：車両No.02が格納される。なお、サービス提供空間が列車全体である場合には、第六階層目の空間階層名４２ｆには、何も格納されない、又は「−」が格納される。空間識別情報４１の表示データ４３には、サービス環境情報テーブル１６０中の表示データ領域１７２に格納されているデータのうちで、サービス提供空間を特定するデータが格納される。具体的に、サービス環境情報テーブル１６０中の表示データ領域１７２に「東海道線Ａ１４号/エンターテインメント」が格納されている場合、「東海道線Ａ１４号」のみが空間識別情報４１の表示データ４３に格納される。空間識別子４４には、サービス環境情報テーブル１６０中の空間/アプリ識別子領域１７３に格納されている空間識別子が格納される。
【００６７】
制御情報ｂ３１ｂは、タイプ３２ｂとサブタイプ３３ｂとデータ長３５ｂとパスワード３６とFlag３７を有している。タイプ３２ｂには、サービス情報５０が有ることを示す「１」又はサービス情報５０が無いことを示す「０」が格納される。サブタイプ３３ｂには、利用制限の有無が格納される。この利用制限の有無は、サービス環境情報テーブル１６０中の利用制限領域１６９に格納されているものである。データ長３５ｂには、サービス情報５０のデータ長が格納される。パスワード３６には、サービス環境情報テーブル１６０のパスワード領域１７１に格納されているパスワードが格納される。Flag３７は、後述の詳細情報５８のデータが大きくて、１パケットに収められない場合に継続シンボル（１）が格納される。
【００６８】
サービス情報５０は、提供するサービスに関する情報であり、サービス識別情報５１と、このサービスの提供元のＩＰアドレス５４と、このサービスの優先度５５と、このサービスを実行するために必要なアプリケーションソフト名５６と、このアプリケーションソフトの識別子５７と、詳細情報５８とを有する。サービス識別情報５１は、サービス名と、無線通信端末４００側で表示されるこのサービス名の表示データ５３と、を有する。サービス情報５０のサービス名５２には、サービス環境情報テーブル１６０中のサービス名領域１６３に格納されているサービス名が格納され、サービス情報５０の表示データ５３には、サービス環境情報テーブル１６０中の表示データ領域１７２に格納されている表示データのうちのサービス名に関する表示データが格納される。また、サービス情報５０のＩＰアドレス５４には、サービス環境情報テーブル１６０中のＩＰアドレス領域１６６に格納されているＩＰアドレスが格納され、サービス情報５０の優先度５５には、サービス環境情報テーブル１６０中の優先度領域１６４に格納されている優先度が格納される。また、サービス情報５０のアプリケーションソフト名５６、アプリケーションソフトの識別子５７、詳細情報５８は、それぞれ、サービス環境情報テーブル１６０中のアプリケーションソフト名領域１６５に格納されているアプリケーションソフト名、空間/アプリ識別子領域１７３に格納されているアプリ識別子、詳細情報領域１７４に格納されている詳細情報が、格納される。
【００６９】
以上で説明したサービス環境情報の通信フレーム２０は、通信制御部１２１が作成するが、この通信フレーム中のＩＰペイロード３０内のデータは、全て、図８のステップ１１,１２でのサービス環境情報配信部１２９よる処理で、このサービス環境情報配信部１２９から通信制御部１２１に与えられる。
【００７０】
次に、図７を用いて、サービス提供サーバ１００から送出されるサービスデータの通信フレームの構成について説明する。
【００７１】
サービスデータの通信フレーム７０は、ＭＡＣヘッダ７１とＭＡＣボディ７３とを有している。ＭＡＣヘッダ７１には宛先アドレス７２等が格納され、ＭＡＣボディ７３にはＩＰパケットが格納される。
【００７２】
このＩＰパケットのヘッダ７４には、宛先アドレス７５等が格納され、ペイロード７０には、制御情報８１とサービスデータ９０とが格納される。
【００７３】
制御情報８１は、タイプ８２とサブタイプ８３とデータ形式８４とデータ長８５とパスワード８６とFlag８７を有している。タイプ８２には、ペイロード９０内のデータがサービスデータであることを示す「２」が格納される。サブタイプ８３には、利用制限の有無が格納され、データ形式８４には、サービスコンテンツデータの表現形式が格納される。また、データ長３５には、サービスデータ９０のデータ長が格納され、パスワード８６には、サービスデータのセキュリティを解除するためのパスワード８６が格納される。Flag８７は、後述のサービスコンテンツデータ９３のデータが大きくて、１パケットに収められない場合に継続シンボル（１）が格納される。
【００７４】
サービスデータ９０は、空間識別子９１とアプリケーションソフトの識別子９２とサービスコンテンツデータ９３とを有する。空間識別子９１及びアプリケーションソフトの識別子９２は、サービス環境情報テーブル１６０の空間/アプリ識別子領域１７３に格納されている空間識別子及びアプリ識別子である。また、サービスコンテンツデータ９３は、補助記憶装置１４０に格納されている複数のサービスデータ１４８ａ，１４８ｂ，…,１４８ｎのうちの該当サービスのサービスデータに含まれているデータである。
【００７５】
以上で説明したサービスデータの通信フレームは、サービス環境情報の通信フレームと同様、通信制御部１２１が作成するが、この通信フレーム中のＩＰペイロード３０内のデータは、全て、サービス処理部１２６ａ，１２６ｂ，…,１２６ｎのうち、該当サービスの処理を実行するサービス処理部から通信制御部１２１に与えられる。なお、このサービス処理部は、この通信フレーム中の制御情報８１、空間識別子９１及びアプリケーションソフトの識別子９２をサービス環境情報テーブル１６０から取得してもよいが、サービスデータを補助記憶装置１４０に格納する際に、このサービスデータ中にサービスコンテンツデータと共に制御情報８１中のデータ等を含めておき、このサービスデータから取得するようにしてもよい。
【００７６】
以上で説明したサービス環境情報の通信フレーム２０及びサービスデータの通信フレーム７０は、いずれも、サービス提供サーバ１００から複数の無線基地局３００のうち、特定の無線基地局３００へ送られ、そこからブロードキャストで無線送出される。
【００７７】
このため、各通信フレーム２０,７０のＭＡＣヘッダ２１,７１中の宛先アドレス２２,７２には、特定の無線基地局３００のＭＡＣアドレスが格納され、各通信フレーム２０,７０のＩＰヘッダ２４,７４中の宛先アドレス２５,７５には、全ての無線通信端末３００を宛先とするブロードキャストアドレスが格納される。
【００７８】
複数の無線基地局３００は、これらの通信フレーム２０,３０を受け取ると、ＩＰヘッダ２４,７４中の宛先アドレス２５,７５に従って、この通信フレームをブロードキャストで無線送出する。
【００７９】
サービス環境情報の通信フレームは、図８を用いて説明したように、各サービス環境情報毎に予め定められた周期で、サービス提供サーバ１００から送出され、サービスデータの通信フレームは、前述したように、各サービスに応じたタイミングで、サービス提供サーバ１００から送出される。
【００８０】
ここで、図１４を用いて、サービス環境情報の通信フレーム及びサービスデータの通信フレームに関する無線基地局３００からの送出タイミングについて説明する。同図中で、横軸は時間であり、縦軸は、単に、信号種の違いを明確にするために便宜上のものにすぎない。
【００８１】
サービス環境情報１,２,…の通信フレームＳＩ１，ＳＩ２，…は、周期100msで送出されるビーコンＢとの関係から理解できるように、当該サービス環境情報に対して予め定められた周期で送出される。但し、サービス環境情報１,２,…の通信フレームＳＩ１，ＳＩ２，…の送出タイミングは、ビーコンＢの送出タイミングと関連する必然性はない。また、サービス環境情報１,２,…の通信フレームＳＩ１，ＳＩ２，…は、キャリアセンスＣＡの実行に優先して、無線基地局３００から送出されるように、この通信フレームＳＩ１，ＳＩ２，…の送出タイミングは無線基地局３００で調整される。一方、サービス１,２，…のサービスデータＳＤ１,ＳＤ２,…は、サービス１によっては周期的に送出されるが、サービス２よっては不定期に送出される。
【００８２】
次に、図９〜図１３に示すフローチャートに従って、無線通信端末４００のサービス環境情報処理部４２９の動作について説明する。
【００８３】
無線通信端末４００の通信制御部４２１は、通信フレームを受信すると、これを分解し、この通信フレームがビーコンである場合には、このビーコンから無線基地局３００の存在を認識する。また、この通信フレームがビーコンでない場合には、この通信フレームに含まれているＩＰパケット中のデータをサービス環境情報処理４２９に渡す。
【００８４】
サービス環境情報処理部４２９は、ＩＰパケット内のデータを取得すると（Ｓ２０）、このデータ中に含まれている制御情報３１,８１（図６及び図７）中のタイプ３２,８２を参照して、このデータがサービス環境情報であるか否かを判断する（Ｓ２１）。このデータがサービス環境情報でないと判断すると、図１３中のステップ６０に進む。また、サービス環境情報処理部４２９は、このデータがサービス環境情報であると判断すると、このサービス環境情報はＲＡＭ４３０に記憶されているサービス環境情報と同じであるか否かを判断する（Ｓ２２）。同じであれば、ステップ２０に戻る。つまり、通信制御部４２１から通信フレームが渡されるのを待つ。また、異なれば、このサービス環境情報をＲＡＭ４３０に記憶する（Ｓ２３）。
【００８５】
サービス環境情報処理部４２９は、次に、ＲＡＭ４３０に記憶したサービス環境情報から、空間識別情報５１の表示データ５３（図６）を呼び出す（Ｓ２４）。そして、このサービス環境情報の制御情報ｂ３１ｂ中のタイプ３２ｂ（図６）を参照して、このサービス環境情報中にサービス情報５０が含まれているか否かを判断する（Ｓ２５）。サービス情報５０が含まれていない場合には、ステップ２４で呼び出した表示データ５３を表示制御部４２３に渡して、これをディスプレイ４５４に表示させてから（Ｓ２６）、ステップ２０に戻る。
【００８６】
また、サービス環境情報中にサービス情報５０が含まれている場合、サービス環境情報処理部４２９は、このサービス環境情報に含まれている制御情報ｂ３１ｂ中のサブタイプ３３ｂ（図６）を参照して、サービス情報の利用制限の有無を判断する（Ｓ２７）。利用制限が無ければ、図１０中のステップ３３に進む。また、利用制限があれば、表示制御部４２３によりディスプレイ４５４にパスワードの受付画面を表示させて、パスワードを受け付ける（Ｓ２８）。サービス環境情報処理部４２９は、パスワードを受け付けると、ＲＡＭ４３０に記憶されているサービス環境情報からパスワード３６（図６）を呼び出し、このパスワードと受け付けたパスワードとが一致しているか否かを判断する（Ｓ３０）。一致していなければ、ステップ２０に戻り、一致していれば、このパスワードを用いて、ＲＡＭ４３０に記憶されているサービス環境情報中のサービス情報５０（図６）に対するセキュリティの解除処理を行ってから、図１０中のステップ３３に進む。
【００８７】
サービス環境情報処理部４２９は、ステップ３３で、サービス情報５０中にサービス識別情報５１（図６）が含まれているか否かを判断する（Ｓ３３）。サービス識別情報５１が含まれていなければ、ステップ２４で呼び出した表示データ５３（図６）を表示制御部４２３に渡して、これをディスプレイ４５４に表示させてから（Ｓ３４）、ステップ２０に戻る。また、サービス識別情報５１が含まれていれば、サービス環境情報処理部４２９は、ＲＡＭ４３０に記憶されているサービス環境情報からサービス識別情報５１の表示データ５３を呼び出し（Ｓ３５）、このサービス名の表示データとステップ２４で呼び出した空間名の表示データとを、表示制御部４２３に渡して、図１５に示すように、空間名/サービス名画面４６１をディスプレイ４５４に表示させる（Ｓ３６）。
【００８８】
次に、サービス環境情報処理部４２９は、サービス情報５０中にアプリケーションソフト名５６（図６）が含まれているか否かを判断する（Ｓ３７）。アプリケーションソフト名５６が含まれていなければ、図１１中のステップ４８に進む。また、アプリケーションソフト名５６が含まれていれば、サービス環境情報処理部４２９は、このアプリケーションソフト名５６を呼び出し（Ｓ３８）、呼び出したアプリケーションソフト名と同じアプリケーションソフトがフラッシュＲＯＭ４４０に記憶されているか否かを判断する（Ｓ３９）。アプリケーションソフトが記憶されていなければ、図１１中のステップ４８に進む。また、アプリケーションソフトが記憶されていれば、サービス環境情報処理部４２９は、ＲＡＭ４３０に記憶されているサービス環境情報から優先度５５を呼び出し（Ｓ４０）、この優先度が自動起動の対象である“Ｂ”以上であるか否かを判断する（Ｓ４１）。優先度が自動起動の対象でない場合には、サービス環境情報処理部４２９は、フラッシュＲＯＭ４４０に格納されている自動起動サービスリスト４４５を参照して、当該サービス環境情報が示すサービスに対するアプリケーションソフトが自動起動の対象として設定されているか否かを判断する（Ｓ４２）。
【００８９】
ここで、自動起動サービスリスト４４５のデータ構成及について、図５を用いて説明する。
【００９０】
自動起動サービスリスト４４５は、空間識別情報が格納される空間識別情報領域４４５と、サービス識別情報が格納されるサービス識別情報領域４４５ｂとを有している。
【００９１】
サービス環境情報処理部４２９は、前述のステップ４２において、このリスト４４５中に、当該サービス環境情報に含まれている空間識別情報及びサービス識別情報と一致するレコードが存在するか否かを判断し、一致するレコードが存在すれば、当該サービス環境情報が示すサービスに対するアプリケーションソフトが自動起動の対象として設定されているとする。なお、ここでは、自動起動の対象になっているか否かの判断に、空間識別情報及びサービス識別情報を用いたが、この替わりに空間識別子及びアプリケーション識別子を用いるようにしてもよい。この場合、自動起動サービスリスト４４５は、空間識別子格領域とアプリケーション識別子格納領域とを有して構成される。
【００９２】
サービス環境情報処理部４２９は、ステップ４２で、当該サービス環境情報が示すサービスに対するアプリケーションソフトが自動起動の対象として設定されていないと判断すると、図１２中のステップ５１に進む。
【００９３】
また、サービス環境情報処理部４２９は、ステップ４１で、優先度が自動起動の対象であると判断した場合、さらに、ステップ４２で、当該サービス環境情報が示すサービスに対するアプリケーションソフトが自動起動の対象として設定されていると判断した場合には、ステップ３８で呼び出したアプリケーションソフト名と同じアプリケーションソフトを起動させ（Ｓ４３）、図１１のステップ４５に進む。
【００９４】
サービス環境情報処理部４２９は、ステップ４５で、当該サービス環境情報に含まれているサービス情報５０中にＩＰアドレス５４（図６）が在るか否かを判断する。ＩＰアドレスがなければ、ステップ４７に進み、ＩＰアドレスが在れば、サービス環境情報処理部４２９は、ステップ４３で起動させたアプリケーションソフトにＩＰアドレスを設定した後（Ｓ４６）、ステップ４７に進む。
【００９５】
サービス提供サーバ１００から提供されるサービスには、前述したように、サービス提供元と無線通信端末４００との交信を前提としたサービスと、基本的にはプッシュ型サービスであるものの、場合によってサービス提供元との交信が必要になるサービスと、サービス提供元から一方的に無線通信端末４００側へ提供されるプッシュ型サービスと、の三種類がある。サービス提供元と交信するケースがある前二者のサービスのサービス環境情報には、図４を用いて前述したように、サービス提供元であるサービス提供サーバ１００のＩＰアドレスが含まれている。そこで、ステップ４６では、サービス提供元と交信するケースがある前二者のサービスのアプリケーションソフトに、サービス環境情報に含まれているＩＰアドレスを設定している。
【００９６】
ステップ４７では、サービス環境情報処理部４２９は、ＲＡＭ４３０に記憶されているサービス環境情報から空間識別子４４及びアプリケーション識別子５７（図６）を呼び出し、ＲＡＭ４３０上に、図５に示す利用予定サービスリスト４３１を設けて、このリスト４３１中に空間識別子４４及びアプリケーション識別子５７を登録する。
【００９７】
次に、サービス環境情報処理部４２９は、サービス環境情報中に詳細情報５８（図６）があるか否かを判断する（Ｓ４８）。詳細情報５８があれば、図１５に示す空間名/サービス名画面４６１中の詳細ボタン４６２が選択されたか否かを判断する（Ｓ４９）。サービス環境情報処理部４２９は、詳細ボタン４６２が選択されると、表示制御部４２３によりディスプレイ４５４に詳細情報を表示させて、図９中のステップ２０に戻る。
また、ステップ４８で詳細情報がないと判断した場合、ステップ４９で詳細ボタン４６２が選択されたかった場合には、図９中のステップ２０に戻る。
【００９８】
なお、詳細情報には、図４を用いて説明したように、アプリケーションソフトの入手方法を含む場合がある。このため、ステップ３９で、呼び出したアプリケーションソフト名と同じアプリケーションソフトが記憶されていないと判断し、ステップ４８、ステップ４９を経て、ステップ５０に至り、このステップ５０で表示された詳細情報中にアプリケーションソフトの入手方法が含まれている場合、当該無線通信端末４００の利用者は、必要に応じて、このアプリケーションソフトの入手方法に従って、アプリケーションソフトを入手することになる。
【００９９】
前述したように、サービス環境情報処理部４２９は、図１０のステップ４２で、当該サービス環境情報が示すサービスに対するアプリケーションソフトが自動起動の対象として設定されていないと判断すると、図１２中のステップ５１に進む。
【０１００】
ステップ５１では、サービス環境情報処理部４２９は、表示制御部４２３により、図１５に示す空間名/サービス名画面４６１中に選択ボタン４６３及び非選択ボタン４６４を表示させる。
【０１０１】
そして、サービス環境情報処理部４２９は、この選択ボタン４６３が選択されたか否かを判断する（Ｓ５２）。選択ボタン４６３が選択されなかった場合、つまり、非選択ボタン４６４が選択された場合には、図１０中のステップ４３に進み、アプリケーションソフトを起動させる。また、選択ボタン４６３が選択された場合、サービス環境情報処理部４２９は、表示制御部４２３によりディスプレイに、図１５に示す自動化登録条件画面４６５を表示させる（Ｓ５３）。この自動化登録条件画面４６５には、自動化の案内４６６と、自動化登録条件４６７と、登録ボタン４６８と、非登録ボタン４６９とが表示される。
【０１０２】
次に、サービス環境情報処理部４２９は、非登録ボタン４６９が選択されたか否かを判断する（Ｓ５４）。非登録ボタン４６９が選択された場合、図１０中のステップ４３に進み、アプリケーションソフトを起動させる。また、非登録ボタン４６９が選択されなかった場合、さらに、登録ボタン４６８が選択されたか否かを判断する（Ｓ５５）。登録ボタン４６８が選択されたかった場合、登録条件の変更を受け付けてから（Ｓ５６）、ステップ５４に戻る。また、登録ボタンが選択された場合、登録条件をフラッシュＲＯＭ４４０に記憶してから（Ｓ５７）、図１０中のステップ４３に進み、アプリケーションソフトを起動させる。
【０１０３】
なお、登録条件の変更とは、例えば、図１５に示す自動化登録条件画面４６５中のサービス提供空間が当初「日本/鉄道/Ａ鉄道会社/東海道線/Ａ14号/第03車両」であった場合、サービス名「運行案内・降車通知」のサービスを東海道線全線で利用したい場合、サービス提供空間を「日本/鉄道/Ａ鉄道会社/東海道線」に変更することである。
【０１０４】
前述したように、サービス環境情報処理部４２９は、図１０のステップ２１で、ＩＰパケット内のデータは、サービス環境情報ではないと判断すると、図１３中のステップ６０に進む。
【０１０５】
ステップ６０で、サービス環境情報処理部４２９は、ＩＰパケット内のデータ中に含まれている制御情報３１,８１（図６及び図７）中のタイプ３２,８２を参照して、このデータがサービスデータであるか否かを判断する。このデータがサービスデータでないと判断すると、図９中のステップ２０に戻る。このデータがサービスデータであると判断すると、サービス環境情報処理部４２９は、ＩＰペイロード内の制御情報８１及びサービスデータ９０（図７）をＲＡＭ４３０に記憶する（Ｓ６１）。
【０１０６】
次に、サービス環境情報処理部４２９は、ＲＡＭ４３０に記憶された制御情報８１からサブタイプ８３（図７）を呼び出し（Ｓ６２）、このサブタイプ８３を参照してデータ利用制限の有無を判断する（Ｓ６３）。利用制限が無ければ、ステップ６８に進み、利用制限があれば、表示制御部４２３によりディスプレイ４５４にパスワードの受付画面を表示させて、パスワードを受け付ける（Ｓ６４）。サービス環境情報処理部４２９は、パスワードを受け付けると、ＲＡＭ４３０に記憶されている制御情報８１からパスワード８６（図７）を呼び出し（Ｓ６５）、このパスワード８６と受け付けたパスワードとが一致しているか否かを判断する（Ｓ６６）。一致していなければ、図９中のステップ２０に戻り、一致していれば、このパスワードを用いて、ＲＡＭ４３０に記憶されているサービスデータ９０（図７）に対するセキュリティの解除処理を行ってから（Ｓ６７）、ステップ６８に進む。
【０１０７】
ステップ６８で、サービス環境情報処理部４２９は、サービスデータ９０中の空間識別子９１及びアプリケーション識別子９２を呼び出す。続いて、ＲＡＭ４３０に格納されている利用予定サービスリスト４３１からも空間識別子及びアプリケーション識別子を呼び出す（Ｓ６９）。そして、サービス環境情報処理部４２９は、サービスデータ９０中の空間識別子９１及びアプリケーション識別子９２と、利用予定サービスリスト４３１中の空間識別子及びアプリケーション識別子とが一致しているか否かを判断する（Ｓ７０）。
【０１０８】
利用予定サービスリスト４３１中の空間識別子及びアプリケーション識別子は、サービス環境情報処理部４２９が、ステップ４３（図１０）でアプリケーションソフトを起動させた後、ステップ４７（図１１）でこのアプリケーションソフトに関連する空間識別子及びアプリケーション識別子として登録したものである。従って、ここでの識別子相互が一致しているか否かの判断は、ステップ４３で起動させたアプリケーションソフトに対して、サービスデータ９０中のサービスコンテンツデータ９３が対応したものであるか否かを判断することを意味する。
【０１０９】
サービス環境情報処理部４２９は、ステップ７０で識別子相互が一致していないと判断すると、図９中のステップ２０に戻り、識別子相互が一致していると判断すると、サービスデータ９０中のサービスコンテンツデータ９３を呼び出して、このサービスコンテンツデータ９３を起動中のアプリケーションソフトにインプットする（Ｓ７１）。つまり、サービス環境情報処理部４２９は、起動中のアプリケーションソフトにより、サービスコンテンツデータの処理を開始させる。そして、図９中のステップ２０に戻る。
【０１１０】
以上、本実施形態によれば、以下の（1）〜（6）の効果を得ることができる。
（1）本実施形態では、無線サービスを提供している無線基地局３００からサービス環境情報も提供されるため、その場での無線基地局３００のＳＳＩＤを把握しておらず、しかも、その場でどのような無線サービスが提供されるかを知らない場合でも、その場での無線サービスの提供空間名又はサービス名を把握できる結果、利用者は、その場での無線サービスの提供を効率的に受けることができる。
（2）本実施形態では、空間識別情報を世界レベルで階層化し、この空間識別情報でサービス提供空間を特定しているので、利用者は、世界中のどこへ行っても、サービス提供空間の誤認識を回避することができる。
（3）本実施形態では、特定の無線サービスのアプリケーションソフトが無線通信端末４００に搭載されていれば、この特定の無線サービスの優先度が高い場合、又は、この特定の無線サービスのアプリケーションソフトの自動起動が予め設定されている場合には、このアプリケーションソフトが自動起動するので、利用者は、このアプリケーションソフトを起動させるための手間を省くことができる。しかも、本実施形態では、この特定の無線サービスが、このサービスの提供元であるサーバ１００と無線通信端末４００との交信が必要である場合、この特定のサービスに関するサービス識別情報中のサービス提供元ＩＰアドレスが起動したアプリケーションソフトに自動設定されるため、利用者は、サービス提供元のＩＰアドレスの設定の手間を省くことができる。
（4）本実施形態では、無線通信端末４００で、無線サービスを処理するアプリケーションソフトが起動されると、この無線サービスに関する空間識別子とアプリケーション識別子とがＲＡＭ４３０に保持される。このため、仮に、同一の無線サービスを提供する複数の無線基地局３００の間で、この無線通信端末４００が移動し、一時的に、いずれの無線基地局３００からのサービスデータを受信できなくなった場合等、何らかの原因で現在提供を受けているサービスデータを受信できなくなった場合でも、再び、このサービスデータを受信できるようになれば、利用者は、再設定の手間をかけずに、直ちに、この無線サービスの提供を受けることができる。
（5）本実施形態では、特定の無線サービスのアプリケーションソフトが無線通信端末４００に搭載されていない場合でも、サービス環境情報中の詳細情報を参照することで、このアプリケーションソフトの入手方法を把握できるので、簡単に、アプリケーションソフトを無線通信端末４００に搭載することができる。
（6）本実施形態では、サービス環境情報中に、空間識別情報を簡略化した空間識別子と、アプリケーション識別情報を簡略化したアプリケーション識別子とを関連付けて含めているので、実際のサービスデータの配信にあたり、サービス提供空間を世界レベルで階層化して定義したり、詳細なサービスの情報をサービスデータに付加する必要がなく、無線資源の有効活用を図ることができる。しかも、無線通信端末４００側では、空間識別子とアプリケーション識別子とを関連付けた状態で保持するので、仮に、利用者が、あるサービスの提供空間から、このサービスの実行に必要なアプリケーションソフトで実行される他のサービスの提供空間に移動した場合でも、利用者が意図しない他のサービスの提供を受けてしまうことを回避することができる。
【０１１１】
「第二実施形態」
本実施形態のサービス提供システムは、図１６に示すように、デパート内で無線サービスを提供するものである。
【０１１２】
このサービス提供システムは、無線サービスのデータ提供元であるサービス提供サーバ６００と、無線サービスに関するサービス環境情報を提供する情報提供サーバ５００と、デパートの各フロワーに複数台設置されている無線基地局３００と、無線基地局３００と無線通信する複数の無線通信端末４００と、を有している。
【０１１３】
サービス提供サーバ６００は、第一実施形態のサービス提供サーバ１００と基本的に同じであるが、サービス環境情報を提供しない点で異なる。このため、このサービス提供サーバ６００は、第一実施形態のサービス提供サーバ１００に搭載されているサービス環境配信プログラム１４９及びサービス環境情報１６０が搭載されていない。この関係で、このサービス提供サーバ６００は、第一実施形態のサービス提供サーバ１００のサービス環境配信部１２９を有していない。また、情報提供サーバ５００は、第一実施形態のサービス環境配信プログラム１４９及びサービス環境情報テーブル１６０が搭載されたサーバである。
【０１１４】
すなわち、本実施形態のサービス提供サーバ６００及び情報提供サーバ５００は、第一実施形態のサービス提供サーバ１００のサービス提供機能と情報提供機能を、それぞれが実行するものである。
【０１１５】
サービス提供サーバ６００と情報提供サーバ５００と複数の無線基地局３００とは、ハブ５を介して、相互に有線接続されている。
【０１１６】
本実施形態で、複数の無線基地局３００のうち、６階に設置されている２台の無線基地局３００のそれぞれのサービス空間を合わせたものが、サービスＡを提供するサービス提供空間Ａを形成している。また、６階に設置されている他の２台の無線基地局３００の各サービス空間は、それぞれ、サービスＢを提供するサービス提供空間Ｂ、サービスＣを提供するサービス提供空間Ｃを形成している。また、７階に設置されている３台の無線基地局３００のそれぞれのサービス空間を合わせたものが、サービスＤを提供するサービス提供空間Ｄを形成し、残りの１台の無線基地局３００のサービス空間は、サービスＥを提供するサービス提供空間Ｅを形成している。
【０１１７】
本実施形態で情報提供サーバ５００に搭載されているサービス環境情報テーブルの空間階層項目は、Ｌ１：地域・国、Ｌ２：都道府県、Ｌ３：市町村、Ｌ４：丁目・番地、Ｌ５：建物、Ｌ６：階、Ｌ７：売り場、である。例えば、サービス提供空間Ｄは、この空間階層項目に従い、Ｌ１：日本、Ｌ２：ａ県、Ｌ３：ｂ市、Ｌ４：１丁目３番地５号、Ｌ５：CCデパート、Ｌ６：７階、Ｌ７：女性服売り場、として表される。
【０１１８】
本実施形態は、以上で説明したように、第一実施形態に対して、サービスデータを提供するサーバ６００とサービス環境情報を提供するサーバ５００とが分離している点、サービスデータ及びサービス環境情報の提供空間が固定空間である点を除いて、同じである。したがって、本実施形態でも、第一実施形態と同様、利用者は、その場での無線サービスの提供を効率的に受けることができる等の効果が得られる。
【符号の説明】
【０１１９】
１：車内ＬＡＮ、２：外部ＬＡＮ、２０：サービス環境情報の通信フレーム、１０：列車、１１,１２,１４,１５：車両、４０：空間情報、４１：空間識別情報、４４：空間識別子、５０：サービス情報、５１：サービス識別情報、５６：アプリケーション名、５７：アプリケーション識別子、５８：詳細情報、７０：サービスデータの通信フレーム、９０：サービスデータ、９１：空間識別子、９２：アプリケーション識別子、９３：サービスコンテンツデータ、１００，６００：サービス提供サーバ、１１０：ＬＡＮインタフェース、１２０，３２０，４２０：ＣＰＵ、１２１，４２１：通信制御部、１２２，４２２：記憶制御部、１２６ａ，１２６ｂ，１２６ｎ：サービス処理部、１２９：サービス環境情報配信部、１３０，３３０，４３０：ＲＡＭ、１４０：補助記憶装置、１４６ａ，１４６ｂ，１４６ｎ：サービス処理プログラム、１４７ａ，１４７ｂ，１４７ｎ：サービスデータ、１４８ａ，１４８ｂ，１４８ｎ：アプリケーションソフト、１４９：サービス環境情報配信プログラム、１６０：サービス環境情報テーブル、３３５，４４０：フラッシュＲＯＭ、４２９：サービス環境情報処理部、４４９：サービス環境情報処理プログラム、５００：情報提供サーバ
【図１】
0005566637.tif 000002
【図２】
0005566637.tif 000003
【図３】
0005566637.tif 000004
【図４】
0005566637.tif 000005
【図５】
0005566637.tif 000006
【図６】
0005566637.tif 000007
【図７】
0005566637.tif 000008
【図８】
0005566637.tif 000009
【図９】
0005566637.tif 000010
【図１０】
0005566637.tif 000011
【図１１】
0005566637.tif 000012
【図１２】
0005566637.tif 000013
【図１３】
0005566637.tif 000014
【図１４】
0005566637.tif 000015
【図１５】
0005566637.tif 000016
【図１６】
0005566637.tif 000017